【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
撮影地域を特定可能な画像に対して所定処理を実行する機能を備えた画像処理装置であって、
表示画面に地図を表示する地図表示手段と、
使用者の描画操作に応じた前記地図上の操作軌跡に基づき使用者の指定地域を特定する地域特定手段と、
この地域特定手段により特定された指定地域で撮影された複数画像を前記所定処理の対象として設定する処理対象設定手段と、
この処理対象設定手段により前記所定処理の対象として設定された複数画像に、使用者による前記操作軌跡の描画操作に従った処理順を設定する処理順設定手段と、
を備えたことを特徴とする画像処理装置。
【請求項２】
前記地域特定手段が前記指定地域を特定する際に用いた操作軌跡と、前記処理順設定手段が前記処理順を設定する際に用いた操作軌跡とは、同じ操作軌跡であることを特徴とする請求項１記載の画像処理装置。
【請求項３】
前記処理対象設定手段により設定された複数画像および前記処理順設定手段により設定された処理順を示す対象リストを作成して記憶する対象リスト記憶手段と、
前記対象リスト記憶手段により記憶された前記対象リストで示される複数画像を対象として、該対象リストで示される処理順に従い前記所定処理を実行する処理制御手段とを更に備えたことを特徴とする請求項２記載の画像処理装置。
【請求項４】
前記処理制御手段は、前記対象リストで示される複数画像を、該処理対象リストで示される処理順に従い表示することを特徴とする請求項３記載の画像処理装置。
【請求項５】
前記処理制御手段は、前記対象リストで示される複数画像を、該処理対象リストで示される処理順に従い削除することを特徴とする請求項３記載の画像処理装置。
【請求項６】
前記操作軌跡を示す軌跡線を前記地図表示手段により表示された前記地図に重ねて表示させる軌跡線表示制御手段を備えたことを特徴とする請求項３乃至５いずれか記載の画像処理装置。
【請求項７】
前記地域特定手段は、１回の連続した描画操作に応じた１つの操作軌跡に基づいて使用者の指定地域を特定し、
前記対象リスト記憶手段は、１つの操作軌跡に対応して１つの対象リストを作成して記憶することを特徴とする請求項３乃至６いずれか記載の画像処理装置。
【請求項８】
前記処理対象設定手段は、前記地域特定手段により、前記地図上に描かれた複数の操作軌跡に基づき個別に特定された複数の指定地域で撮影された画像を処理対象として設定し、
前記処理順設定手段は、前記処理対象の画像に前記複数の指定地域の各々の指定地域を単位として、前記複数の操作軌跡の相互の描画順に従った処理順を設定することを特徴とする請求項３乃至７いずれか記載の画像処理装置。
【請求項９】
前記複数の操作軌跡の各々の軌跡形状が、両端が離間する形状の第１の線分形状と両端が閉じた形状の第２の線分形状とのいずれに該当するかを判断する判断手段を備え、
前記地域特定手段は、前記判断手段により判断された軌跡形状が第１の線分形状である場合には、当該操作軌跡が通過する地域を前記指定地域として特定し、かつ前記判断手段により判断された軌跡形状が第２の線分形状である場合には、当該操作軌跡により囲まれた領域内の地域を前記指定地域として特定することを特徴とする請求項８記載の画像処理装置。
【請求項１０】
前記処理順設定手段は、前記判断手段により判断された軌跡形状が第１の線分形状である操作軌跡に基づき前記地域特定手段により特定された指定地域の画像群に、当該操作軌跡の描画順に従った処理順を設定し、かつ前記判断手段により判断された軌跡形状が第２の線分形状である操作軌跡に基づき前記地域特定手段により特定された指定地域の画像群に、当該操作軌跡の描画順とは異なる情報に従った処理順を設定することを特徴とする請求項９記載の画像処理装置。
【請求項１１】
前記地域特定手段は、前記操作軌跡が通過する地図上の地域を使用者の指定地域として特定することを特徴とする請求項３乃至７いずれか記載の画像処理装置。
【請求項１２】
前記地域特定手段は、前記操作軌跡が通過する地図上の地域であって、当該操作軌跡が通過するとともに当該操作軌跡上の各位置からの地図上の距離が所定の距離以下の地域を使用者の指定地域として特定することを特徴とする請求項１１記載の画像処理装置。
【請求項１３】
前記軌跡線表示制御手段は、前記軌跡線を前記所定の距離に応じた太さで前記表示手段に前記地図に重ねて表示させることを特徴とする請求項１２記載の画像処理装置。
【請求項１４】
前記処理制御手段は、前記表示画面を地図表示領域と画像表示領域とに分割し、地図表示領域に前記地図を表示させるとともに、画像表示領域に前記処理対象の画像を前記処理順に従い一覧表示させることを特徴とする請求項３乃至１３いずれか記載の画像処理装置。
【請求項１５】
使用者が前記地図上での操作軌跡の描画操作に使用する接触式の描画操作手段を更に備え、
前記描画操作手段は、使用者による前記操作軌跡の描画操作時における筆圧を検出する機能を有し、
前記地域特定手段は、前記操作軌跡が通過する地図上の地域であって、当該操作軌跡が通過するとともに当該操作軌跡上の各位置からの地図上の距離が前記描画操作手段により検出された使用者による操作軌跡の操作時における筆圧に応じた所定の距離以下である地域を使用者の指定地域として特定することを特徴とする請求項３乃至１４いずれか記載の画像処理装置。
【請求項１６】
前記操作軌跡の軌跡形状が、予め決められている所定の軌跡形状であるか否かを判断する第２の判断手段を備え、
前記処理制御手段は、前記第２の判断手段により前記操作軌跡の軌跡形状が所定の軌跡形状であると判断されたことに応答し、前記対象リストで示される複数画像の該処理対象リストで示される処理順に従った削除を開始することを特徴とする請求項３乃至１５いずれか記載の画像処理装置。
【請求項１７】
被写体を撮像して画像を取得する撮像手段と、
この撮像手段により撮像が行われた位置を示す位置情報を取得する位置情報取得手段と、
前記撮像手段により撮像された画像と前記位置情報取得手段により取得された位置情報とを関連付けて記憶する画像記憶手段とを備え、
前記処理対象設定手段は、前記画像記憶手段に記憶されている画像を対象として、各画像に対応付けられた位置情報に基づいて、前記地域特定手段により特定された指定地域で撮影された複数画像を前記所定処理の対象として設定することを特徴とする請求項３乃至１６いずれか記載の画像処理装置。
【請求項１８】
撮影地域を特定可能な画像に対して所定処理を実行する機能を備えた画像処理装置において、
表示画面に地図を表示する工程と、
使用者の描画操作に応じた前記地図上の操作軌跡に基づき使用者の指定地域を特定する工程と、
特定した指定地域で撮影された複数画像を前記所定処理の対象として設定する工程と、
前記所定処理の対象として設定した複数画像に、使用者による前記操作軌跡の描画操作に従った処理順を設定する工程と
を含むことを特徴とする処理順設定方法。
【請求項１９】
撮影地域を特定可能な画像に対して所定処理を実行する機能を備えた画像処理装置が有するコンピュータに、
表示画面に地図を表示する処理と、
使用者の描画操作に応じた前記地図上の操作軌跡に基づき使用者の指定地域を特定する処理と、
特定した指定地域で撮影された複数画像を前記所定処理の対象として設定する処理と、
前記所定処理の対象として設定した複数画像に、使用者による前記操作軌跡の描画操作に従った処理順を設定する処理と
を実行させることを特徴とする処理順設定プログラム。
【手続補正２】
【補正対象書類名】明細書
【補正対象項目名】０００６
【補正方法】変更
【補正の内容】
【０００６】
また、請求項２記載の発明に係る画像処理装置にあっては、前記地域特定手段が前記指定地域を特定する際に用いた操作軌跡と、前記処理順設定手段が前記処理順を設定する際に用いた操作軌跡とは、同じ操作軌跡であることを特徴とする置に対応する画素データを生成して出力する垂直補間手段と、を備えたことを特徴とする。
【手続補正３】
【補正対象書類名】明細書
【補正対象項目名】０００７
【補正方法】変更
【補正の内容】
【０００７】
また、請求項３記載の発明に係る画像処理装置にあっては、前記処理対象設定手段により設定された複数画像および前記処理順設定手段により設定された処理順を示す対象リストを作成して記憶する対象リスト記憶手段と、前記対象リスト記憶手段により記憶された前記対象リストで示される複数画像を対象として、該対象リストで示される処理順に従い前記所定処理を実行する処理制御手段とを更に備えたことを特徴とする。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
また、請求項１４記載の発明に係る画像処理装置にあっては、前記処理制御手段は、前記表示画面を地図表示領域と画像表示領域とに分割し、地図表示領域に前記地図を表示させるとともに、画像表示領域に前記処理対象の画像を前記処理順に従い一覧表示させることを特徴とする。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
また、請求項１５記載の発明に係る画像処理装置にあっては、使用者が前記地図上での操作軌跡の描画操作に使用する接触式の描画操作手段を更に備え、前記描画操作手段は、使用者による前記操作軌跡の描画操作時における筆圧を検出する機能を有し、前記地域特定手段は、前記操作軌跡が通過する地図上の地域であって、当該操作軌跡が通過するとともに当該操作軌跡上の各位置からの地図上の距離が前記描画操作手段により検出された使用者による操作軌跡の操作時における筆圧に応じた所定の距離以下である地域を使用者の指定地域として特定することを特徴とする。
【手続補正８】
【補正対象書類名】明細書
【補正対象項目名】００２２
【補正方法】変更
【補正の内容】
【００２２】
また、請求項１６記載の発明に係る画像処理装置にあっては、前記操作軌跡の軌跡形状が、予め決められている所定の軌跡形状であるか否かを判断する第２の判断手段を備え、
前記処理制御手段は、前記第２の判断手段により前記操作軌跡の軌跡形状が所定の軌跡形状であると判断されたことに応答し、前記対象リストで示される複数画像の該処理対象リストで示される処理順に従った削除を開始することを特徴とする。
【手続補正９】
【補正対象書類名】明細書
【補正対象項目名】００２３
【補正方法】変更
【補正の内容】
【００２３】
また、請求項１７記載の発明に係る画像処理装置にあっては、被写体を撮像して画像を取得する撮像手段と、この撮像手段により撮像が行われた位置を示す位置情報を取得する位置情報取得手段と、前記撮像手段により撮像された画像と前記位置情報取得手段により取得された位置情報とを関連付けて記憶する画像記憶手段とを備え、前記処理対象設定手段は、前記画像記憶手段に記憶されている画像を対象として、各画像に対応付けられた位置情報に基づいて、前記地域特定手段により特定された指定地域で撮影された複数画像を前記所定処理の対象として設定することを特徴とする。
【手続補正１０】
【補正対象書類名】明細書
【補正対象項目名】００２４
【補正方法】変更
【補正の内容】
【００２４】
また、請求項１８記載の発明に係る処理順設定方法にあっては、撮影地域を特定可能な画像に対して所定処理を実行する機能を備えた画像処理装置において、表示画面に地図を表示する工程と、使用者の描画操作に応じた前記地図上の操作軌跡に基づき使用者の指定地域を特定する工程と、特定した指定地域で撮影された複数画像を前記所定処理の対象として設定する工程と、前記所定処理の対象として設定した複数画像に、使用者による前記操作軌跡の描画操作に従った処理順を設定する工程とを含むことを特徴とする。
【手続補正１１】
【補正対象書類名】明細書
【補正対象項目名】００２５
【補正方法】変更
【補正の内容】
【００２５】
また、請求項１９記載の発明に係る処理順設定プログラムにあっては、撮影地域を特定可能な画像に対して所定処理を実行する機能を備えた画像処理装置が有するコンピュータに、表示画面に地図を表示する処理と、使用者の描画操作に応じた前記地図上の操作軌跡に基づき使用者の指定地域を特定する処理と、特定した指定地域で撮影された複数画像を前記所定処理の対象として設定する処理と、前記所定処理の対象として設定した複数画像に、使用者による前記操作軌跡の描画操作に従った処理順を設定する処理とを実行させることを特徴とする。